(57)【要約】【課題】必要に応じて簡単に移動でき、しかも水やりが簡単なグリーンカーテンを得る。【解決手段】本装置は、プランター３Ａ，３Ｂ，３Ｃを略水平方向に移動自在に支持するパイプ部材４Ａ，４Ｂ，４Ｃを備えており、支持されたプランター３Ａ，３Ｂ，３Ｃにはパイプ部材４Ａ，４Ｂ，４Ｃを介して水が散布されるようになっている。また、各プランター３Ａ，３Ｂ，３Ｃから上方には、該プランターに植えられたつる植物を登攀させるためのロープ（登攀用ガイド部材）７が延設されており、その上端は、レール部材５やランナー６によって摺動可能に支持されている。したがって、プランター３Ａ，３Ｂ，３Ｃを簡単に移動させることができ、また、パイプ部材４Ａ，４Ｂ，４Ｃを介して水やりを簡単にできる。【選択図】図１
2011050340.tif 000002
【特許請求の範囲】
【請求項１】
つる植物を育成し支持するためのつる植物育成装置において、
プランターを摺動可能に支持できるように、パイプ部材を略水平方向に延設して形成されたプランター支持部と、
該プランター支持部の上方であって、該プランター支持部と略平行となるように配置されたレール部材と、
該レール部材に摺動自在に支持されると共に、前記プランターに植えられるつる植物の登攀をガイドする登攀ガイド部材を吊り下げるランナーと、
を備え、
前記パイプ部材にて形成されたプランター支持部には、水を取り込むための取水口と、プランターに水を供給するための排水口と、が形成されてなる、
ことを特徴とするつる植物育成装置。
【請求項２】
前記プランター支持部は、それぞれがプランターを支持するように上下に複数並設された、
ことを特徴とする請求項１に記載のつる植物育成装置。
【請求項３】
前記プランター支持部が挿通される被挿通部を有するプランターと、
前記ランナーに上端部が取り付けられ、前記プランターに下端部が取り付けられた登攀ガイド部材と、
を備えたことを特徴とする請求項１又は２に記載のつる植物育成装置。
【発明の詳細な説明】
【技術分野】
【０００１】
本発明は、つる植物を育成し支持するためのつる植物育成装置に関する。
【背景技術】
【０００２】
従来、一戸建ての家屋やマンション等の建物においては、室内への直射日光の侵入の抑制や目隠し等のために、アサガオやゴーヤーのようなつる植物を窓の外側にカーテンのように繁生させることが行われている（例えば、特許文献１参照）。それらは、近年、“グリーンカーテン”とか“緑のカーテン”とか称されていて、省エネルギーの見地から注目度を増している。
【０００３】
図３は、つる植物育成装置の従来構成の一例を示す側面図であり、符号１００は、建物１０１のベランダを示し、符号１０２は、ベランダの手すりを示し、符号１０３は、建物１０１の窓開口１０４に対向するように設置された登攀用ガイド部材を示し、符号１０５は、該登攀用ガイド部材１０４を登攀するように育成されたつる植物を示し、符号１０６は、該つる植物１０５を植えるためのプランター（植木鉢）を示す。
【先行技術文献】
【特許文献】
【０００４】
【特許文献１】特開平９−１４０２６６号公報
【発明の概要】
【発明が解決しようとする課題】
【０００５】
しかしながら、図示の登攀用ガイド部材１０３はボルト等にてベランダに堅固に固定されているので、グリーンカーテンを簡単に移動させることができない構造となっている。そのため、夏以外の季節にはこのグリーンカーテンが太陽光を不必要に遮蔽してしまい室内を暗くしてしまったり、台風が来たときにはグリーンカーテンの破損のおそれがあったりするなどの問題があった。
【０００６】
本発明は、上述のような問題を解消できるつる植物育成装置を提供することを目的とするものである。
【課題を解決するための手段】
【０００７】
請求項１に係る発明は、図１及び図２(a) (b) に例示するものであって、つる植物（Ｂ）を育成するためのつる植物育成装置（２）において、
プランター（３Ａ，３Ｂ，３Ｃ）を摺動可能に支持できるように、パイプ部材を略水平に延設して形成されたプランター支持部（４Ａ，４Ｂ，４Ｃ）と、
該プランター支持部（４Ａ，４Ｂ，４Ｃ）の上方であって、該プランター支持部（４Ａ，４Ｂ，４Ｃ）と略平行となるように配置されたレール部材（５）と、
該レール部材（５）に摺動自在に支持されると共に、前記プランター（３Ａ，３Ｂ，３Ｃ）に植えられるつる植物（Ｂ）の登攀をガイドする登攀ガイド部材（７）を吊り下げるランナー（６）と、
を備え、
前記パイプ部材にて形成されたプランター支持部（４Ａ，４Ｂ，４Ｃ）には、水を取り込むための取水口（図２(a) の符号４Ａ１，４Ｂ１，４Ｃ１参照）と、プランター（３Ａ，３Ｂ，３Ｃ）に水を供給するための排水口（図２(b)
の符号４Ａ２参照）と、が形成されてなることを特徴とする。
【０００８】
請求項２に係る発明は、請求項１に係る発明において、前記プランター支持部（４Ａ，４Ｂ，４Ｃ）が、それぞれがプランター（３Ａ，３Ｂ，３Ｃ）を支持するように上下に複数並設されたことを特徴とする。
【０００９】
請求項３に係る発明は、請求項１又は２に係る発明において、前記プランター支持部（３Ａ，３Ｂ，３Ｃ）に挿通される被挿通部（３ａ，３ｂ，３ｃ）を有するプランター（３Ａ，３Ｂ，３Ｃ）と、
前記ランナー（６）に上端が取り付けられ、前記プランター（３Ａ，３Ｂ，３Ｃ）に下端が取り付けられた登攀ガイド部材（７）と、を備えたことを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１乃至３に係る発明によれば、プランターはプランター支持部によって摺動可能に支持されており、登攀ガイド部材も、前記レール部材及び前記ランナーによって摺動自在に支持されているので、夏以外の季節で太陽光を室内に取り込みたい場合や強風によるグリーンカーテンの破損のおそれがあるような場合には、該グリーンカーテン（つまり、プランターと登攀ガイド部材とつる植物）を必要に応じて簡単に移動させることができる。また、プランター支持部には水を取り込むための取水口と、プランターに水を供給するための排水口とが形成されているので、この構成を利用して簡単に水やりが出来る。
【図面の簡単な説明】
【００１２】
【図１】図１は、本発明に係るつる植物育成装置の全体構成の一例を示す斜視図である。
【図２】図２(a) は、本発明に係るつる植物育成装置の要部構成の一例を示す正面図であり、同図(b)は、そのＡ−Ａ断面図である。
【図３】図３は、つる植物育成装置の従来構成の一例を示す側面図である。
【発明を実施するための形態】
【００１３】
以下、図１及び図２に沿って、本発明の実施の形態について説明する。
【００１４】
本発明に係るつる植物育成装置は、ゴーヤーやアサガオ等のつる植物を育成し支持してグリーンカーテン（図１の符号１参照）を形成するためのものである。該つる植物育成装置は、図１に符号２で例示するように、プランター３Ａ，３Ｂ，３Ｃを摺動可能に支持するプランター支持部４Ａ，４Ｂ，４Ｃを少なくとも１つ備えている。このプランター支持部４Ａ，４Ｂ，４Ｃは、パイプ部材が略水平方向に延設されて形成されたものであって、
・  水を取り込むための取水口（図２(a) の符号４Ａ１，４Ｂ１，４Ｃ１参照）と、
・  プランター３Ａ，３Ｂ，３Ｃに水を散布するための排水口（図２(b) の符号４Ａ２参照）と、
を有している。なお、上述の排水口４Ａ２は、プランター３Ａに水を供給できる位置に設けておくと良い。また、図２(b) には、プランター支持部４Ａの排水口（符号４Ａ２参照）のみ示しているが、他のプランター支持部４Ｂ，４Ｃにも同様の排水口を設けておくと良い。さらに、図１及び図２(a)
(b) に示すプランター３Ａ，３Ｂ，３Ｃは、箱状のものであるが、もちろんこれに限られるものではなく、植木鉢などの他の形状のものとしても良い。このプランター３Ａ，３Ｂ，３Ｃには、前記プランター支持部４Ａ，４Ｂ，４Ｃとの係合のために該支持部が挿通される被挿通部３ａ，３ｂ，３ｃを形成しておくと良い。
【００１５】
一方、該プランター支持部４Ａ，４Ｂ，４Ｃの上方には、該プランター支持部４Ａ，４Ｂ，４Ｃと略平行となるようにレール部材５が少なくとも１本延設されており、該レール部材５には少なくとも１個のランナー６が摺動自在に支持されている。そして、このランナー６は、例えばフック状に形成されていて、前記プランター３Ａ，３Ｂ，３Ｃに植えられるつる植物の登攀をガイドするための登攀ガイド部材７を吊り下げることができるようになっている。ここで、登攀ガイド部材７とは、つる植物が登攀することができる全ての公知の部材を意味し、具体的には、ワイヤやロープやネットやポール等を挙げることができる。この登攀ガイド部材７は、プランター３Ａ，３Ｂ，３Ｃに植えたつる植物が登攀できるように、下端部を前記プランター３Ａ，３Ｂ，３Ｃに取り付けると共に上端部を前記ランナー６に取り付けておくと良い。
【００１６】
ところで、図１に示すつる育成装置２は、マンションのベランダ８に設置され、しかも、プランター支持部４Ａ，４Ｂ，４Ｃはベランダ用手すり８ａに取り付けられ（取り付け用のブラケットは不図示）、レール部材５はベランダの天井部分８ｂに取り付けられているが、本発明の範囲がこの構成に限定されるものでは無い。当然ながらマンションのベランダではなく一戸建てのベランダに設置しても良いし、ベランダ以外の箇所に設置しても良い。例えば、プランター支持部４Ａ，４Ｂ，４Ｃを何らかの支柱に取り付け、レール部材５を建物の外壁に取り付ければ、ベランダ以外（例えば、一戸建ての庭）にも設置することは可能である。
【００１７】
図示のように３本のパイプ部材（プランター支持部４Ａ，４Ｂ，４Ｃ）を上下に並設するようにすると、少なくとも３つのプランター３Ａ，３Ｂ，３Ｃを摺動可能に配置してそれぞれにつる植物Ｂを植えることができ、幅の広いグリーンカーテンを形成することが可能となる。このように複数本のパイプ部材を設置する場合には、それら複数本のパイプ部材（プランター支持部４Ａ，４Ｂ，４Ｃ）を中間パイプ９にて直列に接続しておいて、水が順次流れるようにしておくと良い。或いは、１本のパイプ部材を湾曲形成して、必要な部分を略水平方向に延設させておいてプランター支持部としても良い。なお、図示の装置２では、プランター支持部の数は３本であるが、もちろんこれに限られるものではなく、２本としても４本以上としても良い。また、プランター支持部が１本のみのものを本発明の範囲から除外するものではない。
【００１８】
本発明によれば、プランター３Ａ，３Ｂ，３Ｃはプランター支持部４Ａ，４Ｂ，４Ｃによって摺動可能に支持されており、登攀ガイド部材７も、前記レール部材５及び前記ランナー６によって摺動自在に支持されているので、夏以外の季節で太陽光を室内に取り込みたい場合や強風によるグリーンカーテンの破損のおそれがあるような場合には、該グリーンカーテン１（つまり、プランター３Ａ，３Ｂ，３Ｃと登攀ガイド部材７とつる植物Ｂ）を必要に応じて簡単に移動させることができる。また、プランター支持部４Ａ，４Ｂ，４Ｃには水を取り込むための取水口４Ａ１，４Ｂ１，４Ｃ１と、プランター３Ａ，３Ｂ，３Ｃに水を供給するための排水口（例えば、符号４Ａ２参照）とが形成されているので、この構成を利用して簡単に水やりが出来る。
【符号の説明】
【００１９】
２        つる植物育成装置
３Ａ，３Ｂ，３Ｃ        プランター
４Ａ，４Ｂ，４Ｃ        プランター支持部
４Ａ１，４Ｂ１，４Ｃ１        取水口
４Ａ２    排水口
５        レール部材
６        ランナー
７        登攀ガイド部材
Ｂ        つる植物
【図１】
2011050340.tif 000003
【図２】
2011050340.tif 000004
【図３】
2011050340.tif 000005